(57)【要約】      （修正有）【課題】  長いタイマー設定時間が設定された場合でも、そのタイマー設定時間を判り易く知らせることができるリモートコントロール装置を提供する。【解決手段】  タイマー設定時間の表示機能を有するリモートコントロール装置において、タイマー設定時間Tが２４時間以上の場合に、そのタイマー設定時間Tを日にち要素と時間要素に分けて表示する。【選択図】図５
2006180249.tif 000002
【特許請求の範囲】
【請求項１】
タイマー設定時間の表示機能を有するリモートコントロール装置において、
前記タイマー設定時間が２４時間以上の場合に、そのタイマー設定時間を日にち要素と時間要素に分けて表示する制御手段、を備えたことを特徴とするリモートコントロール装置。
【発明の詳細な説明】
【技術分野】
【０００１】
この発明は、タイマー設定時間の表示機能を有するリモートコントロール装置に関する。
【背景技術】
【０００２】
一般に、空気調和機は、運転条件設定用のリモートコントロール装置を備えている。運転条件として、冷房・除湿・暖房・送風などの運転モードのほかに、運転停止までの残り時間や運転開始までの残り時間などのタイマー設定時間がある。
【０００３】
タイマー設定時間が設定されると、その設定されたタイマー設定時間がそのままリモートコントロール装置の表示部で表示される（例えば特許文献１）。
【特許文献１】特開平５−２６４９５号公報
【発明の開示】
【発明が解決しようとする課題】
【０００４】
リモートコントロール装置で設定できるタイマー設定時間については、最長で２４時間あれば十分というのが一般的な考えである。
【０００５】
しかしながら、昼夜にわたり営業を続けるような店舗等では、２４時間以上に及ぶ長いタイマー設定時間が必要な場合もあり、実際に、そのような要求に対応し得るリモートコントロール装置も登場してきている。
【０００６】
このような状況において、たとえば６３時間などの長いタイマー設定時間がそのまま時間単位で表示されても、ユーザにとっては判り難いことがある。
【０００７】
この発明は、上記事情を考慮したもので、長いタイマー設定時間が設定された場合でも、そのタイマー設定時間を判り易く知らせることができるリモートコントロール装置を提供することを目的とする。
【課題を解決するための手段】
【０００８】
請求項１に係る発明のリモートコントロール装置は、タイマー設定時間の表示機能を有するものであって、タイマー設定時間が２４時間以上の場合に、そのタイマー設定時間を日にち要素と時間要素に分けて表示する制御手段、を備えている。
【発明の効果】
【０００９】
この発明によれば、２４時間以上に及ぶ長いタイマー設定時間が設定された場合でも、そのタイマー設定時間を判り易く知らせることができるリモートコントロール装置を提供できる。
【発明を実施するための最良の形態】
【００１０】
以下、この発明の一実施形態について図面を参照して説明する。  
図１において、１は空気調和機のリモートコントロール装置の本体で、前面に、液晶表示部２および運転条件設定用の操作部３を備えている。運転条件として、冷房・除湿・暖房・送風などの運転モードのほかに、運転停止までの残り時間や運転開始までの残り時間などのタイマー設定時間がある。
【００１１】
液晶表示部２には、時間・温度表示エリア２ａ、運転モード表示エリア２ｂ、風量表示エリア２ｃ、設定温度表示エリア２ｄがある。時間・温度表示エリア２ａに表示されている数字は、現在の室内温度である。
【００１２】
時間・温度表示エリア２ａには、４桁の７セグメント表示パターンと１つの小数点表示パターンが用意されている。これらの表示パターンにより、上記の室内温度のほかに、運転停止までの残り時間や運転開始までの残り時間などのタイマー設定時間、および日にち表示の指標となるアルファベット文字たとえば“ｄ”が表示される。
【００１３】
また、時間・温度表示エリア２ａの隣に位置する風量表示エリア２ｃには、２桁の７セグメント表示パターンが用意されている。この２桁の７セグメント表示パターンのうち、時間・温度表示エリア２ａに近い左側の７セグメント表示パターンにより、時間表示の指標となるアルファベット文字たとえば“ｈ”が表示される。
【００１４】
操作部３には、運転・停止釦、温度設定釦、運転切換釦、風量切換釦などのほかに、タイマー設定時間の設定に関わる操作手段としてタイマー設定釦４、時間設定釦５、セット釦６、取消釦７が設けられている。
【００１５】
本体１の制御回路を図２に示している。
【００１６】
１０は主制御部であるＣＰＵで、このＣＰＵ１０に上記表示部２、上記操作部３、送信部１１、およびタイマー１２が接続されている。送信部１１は、操作部３で設定される運転条件を空気調和機本体に送信する。タイマー１２は、操作部３で設定されるタイマー設定時間を計時する。
【００１７】
ＣＰＵ１０は、主要な機能として、次の（１）（２）を有する。  
（１）操作部３で設定されるタイマー設定時間が２４時間未満の場合に、そのタイマー設定時間を、そのままの時間単位で、液晶表示部２で表示する制御手段。  
（２）操作部３で設定されるタイマー設定時間が２４時間以上の場合に、そのタイマー設定時間を、日にち要素と時間要素に分けて、液晶表示部２で表示する制御手段。
【００１８】
つぎに、図３のフローチャートを参照しながら作用について説明する。  
タイマー設定釦４が押されると、タイマー設定時間設定モードとなり、時間設定釦５の増減操作に応じて、タイマー設定時間Tが設定される。
【００１９】
このとき、設定されるタイマー設定時間Tが２４時間以上であるか否かが、判定される。
【００２０】
タイマー設定時間Tが２４時間未満であれば、そのタイマー設定時間Tを表わす数字が、そのままの時間単位で、液晶表示部２で表示される（時間表示のみ）。  
たとえば、タイマー設定時間が“５時間”の場合、図４に示すように、数字“５”が時間・温度表示エリア２ａにおける右端の７セグメント表示パターンにより表示され、時間表示の指標であるアルファベット文字“ｈ”が風量表示エリア２ｃにおける左側の７セグメント表示パターンにより表示される。
【００２１】
タイマー設定時間Tが２４時間以上の場合は、そのタイマー設定時間Tが日にち要素と時間要素に分けられて、液晶表示部２で表示される（日にち表示と時間表示）。  
たとえば、タイマー設定時間が“２６時間（＝２４時間+２時間）”であれば、図５に示すように、日にち要素を表わす数字“１”が時間・温度表示エリア２ａにおける左端の７セグメント表示パターンにより表示され、日にち表示の指標であるアルファベット文字“ｄ”が時間・温度表示エリア２ａにおける左から２つ目の７セグメント表示パターンにより表示される。さらに、時間要素を表わす数字“２”が時間・温度表示エリア２ａにおける右端の７セグメント表示パターンにより表示され、時間表示の指標であるアルファベット文字“ｈ” が風量表示エリア２ｃにおける左側の７セグメント表示パターンにより表示される。
【００２２】
タイマー設定時間が“６３時間（＝２４時間+２４時間+１５時間）”の場合は、日にち要素を表わす数字“２”が時間・温度表示エリア２ａにおける左端の７セグメント表示パターンにより表示され、日にち表示の指標であるアルファベット文字“ｄ”が時間・温度表示エリア２ａにおける左から２つ目の７セグメント表示パターンにより表示される。さらに、時間要素を表わす数字“１５”が時間・温度表示エリア２ａにおける右側２つの７セグメント表示パターンにより表示され、時間表示の指標であるアルファベット文字“ｈ” が風量表示エリア２ｃにおける左側の７セグメント表示パターンにより表示される。
【００２３】
タイマー設定時間が“２４時間”ちょうどであれば、日にち要素を表わす数字“１”が時間・温度表示エリア２ａにおける左端の７セグメント表示パターンにより表示され、日にち表示の指標であるアルファベット文字“ｄ”が時間・温度表示エリア２ａにおける左から２つ目の７セグメント表示パターンにより表示される。さらに、時間要素を表わす数字“０”が時間・温度表示エリア２ａにおける右端の７セグメント表示パターンにより表示され、時間表示の指標であるアルファベット文字“ｈ” が風量表示エリア２ｃにおける左側の７セグメント表示パターンにより表示される。
【００２４】
日にち表示の指標については、アルファベット文字“ｄ”に限らず、たとえばアルファベット文字“D”、英語表記“day”、漢字“日”、ひらがな“にち”など、いずれでもよい。時間・温度表示エリア２ａの仕様やユーザの居住地域などに応じて適宜に選定可能である。  
時間要素の指標については、アルファベット文字“ｈ”に限らず、たとえばアルファベット文字“Ｈ”、英語表記“hour”、漢字“時間”、ひらがな“じかん”などいずれでもよい。時間・温度表示エリア２ａの仕様やユーザの居住地域などに応じて適宜に選定可能である。
【００２５】
セット釦６が押されると、そのとき設定されているタイマー設定時間Tが確定される。そして、確定されたタイマー設定時間Tの情報が、空気調和機本体に送信される。取消釦７が押されると、取消し情報が空気調和機本体に送信される。
【００２６】
以上のように、タイマー設定時間Ｔが日にち要素と時間要素に分けて表示されることにより、昼夜にわたり営業を続けるような店舗等において、たとえば６３時間などの長いタイマー設定時間Ｔが設定された場合でも、そのタイマー設定時間Ｔをユーザに判り易く知らせることができる。誤りのない適切なタイマー設定時間Ｔの設定も可能となる。
【００２７】
なお、上記実施形態では、空気調和機のリモートコントロール装置を例に説明したが、他の運転機器のリモートコントロール装置にも、同様に適用可能である。  
その他、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。
【図面の簡単な説明】
【００２８】
【図１】一実施形態の構成および温度表示を示す図。
【図２】一実施形態の制御回路のブロック図。
【図３】一実施形態の作用を説明するためのフローチャート。
【図４】一実施形態の構成および２４時間未満のタイマー設定時間の表示を示す図。
【図５】一実施形態の２４時間以上のタイマー設定時間の表示を示す図。
【符号の説明】
【００２９】
１…本体、２…液晶表示部、２ａ…時間・温度表示エリア、２ｃ…風量表示エリア、３…操作部、４…タイマー設定釦、５…時間設定釦、６…セット釦、７…取消釦
【図１】
2006180249.tif 000003
【図２】
2006180249.tif 000004
【図３】
2006180249.tif 000005
【図４】
2006180249.tif 000006
【図５】
2006180249.tif 000007